(57)【要約】【課題】  画像形成部の構成部品による悪影響を受けにくくすることができる画像読取装置の電気的接続構造を備える、画像読取装置を提供することができる。【解決手段】  画像形成装置１００は、画像読取装置１０、ＡＤＦ１４およびケーブル９４を備える。画像読取装置１０は、原稿載置台２６が上面に設けられた筐体２４を備える。ＡＤＦ１４は、筐体２４の上方に設けられる。ケーブル９４は、筐体２４の下方に設けられる画像読取用の制御基板およびＡＤＦ１４と画像読取用の制御とを電気的に接続する。ケーブル９４は、画像読取装置１０の筐体２４を貫通するガイド経路８０に挿通され、このガイド経路８０に従って配設される。ガイド経路８０の入口８２と、出口８４とは、水平方向において互いに異なる位置に設けられる。【選択図】  図５
2020190703.tif 000002
【特許請求の範囲】
【請求項１】
原稿載置台が上面に設けられた筐体、
前記原稿載置台に載置される原稿を読み取る読取部、および
前記筐体の上方に設けられる原稿送り装置と、前記筐体の下方に設けられ、前記原稿送り装置を制御するための制御基板とを電気的に接続するケーブルを、前記筐体を貫通するように挿通させるためのガイド経路を備え、
前記ガイド経路の一方の開口端と、前記ガイド経路の他方の開口端とは、水平方向において互いに異なる位置に設けられる、画像読取装置。
【請求項２】
前記一方の開口端は、前記筐体の上面に配置され、前記他方の開口端は、前記筐体の背面に配置される、請求項１記載の画像読取装置。
【請求項３】
前記ガイド経路は、前記一方の開口端から下に向かって延びる第１部分と、一方の端部が前記第１部分の下端部に接続され、水平方向に延びる第２部分と、前記他方の開口端から前方に向かって延び、前記第２部分の他方の端部に接続される第３部分とを含む、請求項２記載の画像読取装置。
【請求項４】
前記第１部分と前記第２部分とが交差する接続部の外側の内壁には、第１傾斜面が設けられる、請求項３記載の画像読取装置。
【請求項５】
前記第１傾斜面は、水平方向において、前記一方の開口端よりも大きい範囲に設けられる、請求項４記載の画像読取装置。
【請求項６】
前記第２部分と前記第３部分とが交差する接続部の外側の内壁には、第２傾斜面が設けられる、請求項３から５までのいずれかに記載の画像読取装置。
【請求項７】
前記第１傾斜面と、前記第２傾斜面とは、互いに異なる方向に傾斜する、請求項６記載の画像読取装置。
【請求項８】
前記第３部分の下面には、前記他方の開口端に向かうにつれて下方に傾斜する第３傾斜面が設けられる、請求項３から７までのいずれかに記載の画像読取装置。
【請求項９】
前記他方の開口端の開口面積は、前記一方の開口端の開口面積よりも大きい、請求項１から８までのいずれかに記載の画像読取装置。
【請求項１０】
前記ガイド経路の下面は、前記一方の開口端から前記他方の開口端に向かうに連れて下方に傾斜する、請求項１から９までのいずれかに記載の画像読取装置。
【請求項１１】
前記ケーブルの一方の端部には、前記原稿送り装置のコネクタに接続される第１コネクタが設けられ、前記ケーブルの他方の端部には、前記制御基板のコネクタに接続される第２コネクタが設けられ、
前記原稿送り装置のコネクタと前記制御基板のコネクタとは、水平方向において、互いに異なる位置に配置され、
前記一方の開口端は、水平方向において、前記原稿送り装置のコネクタに対応する位置に設けられ、前記他方の開口端は、水平方向において、前記制御基板のコネクタに対応する位置に設けられる、請求項１から１０までのいずれかに記載の画像読取装置。
【請求項１２】
請求項１ないし１１のいずれかに記載の画像読取装置を備える、画像形成装置。
【発明の詳細な説明】
【技術分野】
【０００１】
この発明は画像読取装置およびそれを備える画像形成装置に関し、特にたとえば、原稿載置トレイに載置された原稿を画像読取位置に対して搬送する自動原稿送り装置を備える、画像読取装置およびそれを備える画像形成装置に関する。
【背景技術】
【０００２】
背景技術の画像読取装置の一例が特許文献１に開示される。背景技術の画像読取装置は、画像読取部の上面に対してヒンジ部材を介して自動原稿給送装置（ＡＤＦ：Auto Document Feeder）が設けられ、画像読取部とＡＤＦとは、ケーブルによって電気的に接続される。画像読取部およびＡＤＦの内部には、上方に突出するケーブルガイド部およびケーブルガイド部に対応する形状の窪み部によって、画像読取部の制御基板から真っ直ぐ上方に延びる経路が形成され、この経路に、ケーブルが挿通される。
【先行技術文献】
【特許文献】
【０００３】
【特許文献１】特開２０１５−０６４４１２号公報
【発明の概要】
【発明が解決しようとする課題】
【０００４】
しかしながら、背景技術の画像読取装置では、ケーブルが挿通される経路が上下方向に真っ直ぐ延びるので、ＡＤＦの駆動部の近くに経路を配置すると、画像読取部の制御基板が、定着部、用紙搬送部および画像形成部の制御基板等の画像形成部の構成部品に近づいてしまい、画像形成部の構成部品による悪影響を受ける虞があるという問題がある。また、上下方向に真っ直ぐ延びる経路では、ヒンジ部材等との関係で画像形成部の構成部品からできるだけ離れるように経路を配置することには限界がある。
【０００５】
それゆえに、この発明の主たる目的は、新規な、画像読取装置およびそれを備える画像形成装置を提供することである。
【０００６】
この発明の他の目的は、この発明の主たる目的は、画像形成部の構成部品による悪影響を受けにくくすることができる画像読取装置の電気的接続構造を備える、画像読取装置およびそれを備える画像形成装置を提供することである。
【課題を解決するための手段】
【０００７】
第１の発明は、筐体、読取部およびガイド経路を備える画像読取装置である。筐体の上面には、原稿載置台が設けられる。読取部は、原稿載置台に載置される原稿を読み取る。ガイド経路は、筐体の上方に設けられる原稿送り装置と、筐体の下方に設けられ、前記原稿送り装置を制御するための制御基板とを電気的に接続するケーブルを、前記筐体を貫通するように挿通させる。また、ガイド経路の一方の開口端と、ガイド経路の他方の開口端とは、水平方向において互いに異なる位置に設けられる。
【０００８】
第２の発明は、第１の発明に従属する画像読取装置であって、一方の開口端は、筐体の上面に設けられ、他方の開口端は、筐体の背面に設けられる。
【０００９】
第３の発明は、第２の発明に従属する画像読取装置であって、ガイド経路は、一方の開口端から下に向かって延びる第１部分と、一方の端部が第１部分の下端部に接続され、水平方向に延びる第２部分と、他方の開口端から前方に向かって延び、第２部分の他方の端部に接続される第３部分とを含む。
【００１０】
第４の発明は、第３の発明に従属する画像読取装置であって、第１部分と第２部分とが交差する接続部の外側の内壁には、第１傾斜面が設けられる。
【００１１】
第５の発明は、第４の発明に従属する画像読取装置であって、第１傾斜面は、水平方向において、一方の開口端よりも大きい範囲に設けられる。
【００１２】
第６の発明は、第３から第５までのいずれかの発明に従属する画像読取装置であって、第２部分と第３部分とが交差する接続部の外側の内壁には、第２傾斜面が設けられる。
【００１３】
第７の発明は、第６の発明に従属する画像読取装置であって、第１傾斜面と、第２傾斜面とは、互いに異なる方向に傾斜する。
【００１４】
第８の発明は、第３から第７までのいずれかの発明に従属する画像読取装置であって、第３部分の下面には、他方の開口端に向かうにつれて下方に傾斜する第３傾斜面が設けられる。
【００１５】
第９の発明は、第１から第８までのいずれかの発明に従属する画像読取装置であって、他方の開口端の開口面積は、一方の開口端の開口面積よりも大きい。
【００１６】
第１０の発明は、第１から第９までのいずれかの発明に従属する画像読取装置であって、ガイド経路の下面は、一方の開口端から他方の開口端に向かうに連れて下方に傾斜する。
【００１７】
第１１の発明は、第１から第１０までのいずれかの発明に従属する画像読取装置であって、ケーブルの一方の端部には、原稿送り装置のコネクタに接続される第１コネクタが設けられ、ケーブルの他方の端部には、制御基板のコネクタに接続される第２コネクタが設けられ、原稿送り装置のコネクタと制御基板のコネクタとは、水平方向において、互いに異なる位置に配置され、一方の開口端は、水平方向において、原稿送り装置のコネクタに対応する位置に設けられ、他方の開口端は、水平方向において、制御基板のコネクタに対応する位置に設けられる。
【００１８】
第１２の発明は、第１ないし第１１のいずれかの発明の画像読取装置を備える画像形成装置である。
【発明の効果】
【００１９】
この発明によれば、画像形成部の構成部品による悪影響を受けにくくすることができる画像読取装置の電気的接続構造を備える、画像読取装置およびそれを備える画像形成装置を提供することができる。
【００２０】
この発明の上述の目的、その他の目的、特徴および利点は、図面を参照して行う以下の実施例の詳細な説明から一層明らかとなろう。
【図面の簡単な説明】
【００２１】
【図１】この発明の第１実施例である画像読取装置を備える画像形成装置の外観を示す図解図である。
【図２】画像読取装置の本体部分の外観を示す斜視図である。
【図３】上面部分を省略して画像読取装置の内部構造を示す斜視図である。
【図４】ＡＤＦの内部構造を示す概略断面図である。
【図５】画像読取装置の制御部を背面側から見た場合の外観を示す背面図である。
【図６】上面部分を省略して画像読取装置の内部構造を示す平面図である。
【図７】ケーブルガイドの構造を示す概略断面図である。
【図８】ケーブルガイドの構造を示す概略断面図である。
【図９】ケーブルガイドの構造を示す斜視図である。
【図１０】ケーブルガイドの構造を示す斜視図である。
【発明を実施するための形態】
【００２２】
［第１実施例］
図１を参照して、この発明の第１実施例である画像形成装置１００は、画像読取装置１０、自動原稿送り装置（ＡＤＦ：Auto Document Feeder）１４を備える。この実施例では、画像形成装置１００は、複写機能、プリンタ機能、スキャナ機能およびファクシミリ機能などを有する複合機（ＭＦＰ：Multifunction Peripheral）である。ただし、画像形成装置１００は、少なくとも画像読取装置１０（スキャナ機能）を備えていればよく、上記の他の機能は任意に採用することができる。
【００２３】
先ず、画像形成装置１００の基本構成について概略的に説明する。なお、この発明においては、ユーザの立ち位置に対向する面、つまり操作部１６が設けられる側の面を前面（正面）として画像形成装置１００およびその構成部材の前後方向（奥行方向）を規定し、画像形成装置１００およびその構成部材の左右方向（横方向）は、ユーザから画像形成装置１００を見た状態を基準として規定する。また、後述するＣＩＳ走査体３４の長手方向を主走査方向と呼び、この主走査方向と直交する方向であって、ＣＩＳ走査体３４が往復移動する方向を副走査方向と呼ぶ。この第１実施例では、前後方向が主走査方向であり、左右方向が副走査方向である。
【００２４】
図１に示すように、画像形成装置１００は、画像形成装置本体１２、画像形成装置本体１２の上方に配置される画像読取装置１０および画像読取装置１０の上方に配置されるＡＤＦ１４を含み、画像読取装置１０で読み込まれた画像データまたは外部コンピュータから送信された画像データに基づいて、所定の用紙（記録紙）に対して多色または単色の画像を形成する。
【００２５】
画像形成装置本体１２内の所定位置には、画像形成装置１００の各部位の動作を制御する制御部（図示せず）が設けられる。制御部は、ＣＰＵおよびメモリ等を備え、ユーザによる操作部１６への入力操作などに応じて、画像読取装置１０を含む画像形成装置１００の各部位に制御信号を送信し、画像形成装置１００に種々の動作を実行させる。また、詳細は後述するが、制御部は、画像形成用の制御基板９６と、画像読取用の制御基板９８とを含む（図５参照）。
【００２６】
また、画像形成装置本体１２には、露光ユニット、感光体ドラム、帯電器、現像装置および定着ローラ等を備える画像形成部１８が内蔵される。画像形成部１８は、汎用のレーザプリンタであり、給紙カセット２０等から搬送される記録紙上に画像を形成し、画像形成済みの記録紙を排出トレイ２２に排出する。
【００２７】
なお、詳細な説明は省略するが、画像形成部１８は、カラーのプリント機能を備えており、Ｙ（イエロー）、Ｍ（マゼンタ）、Ｃ（シアン）、Ｋ（ブラック）の各色について、感光体ドラム、帯電器および現像装置等を含む画像形成ステーションが構成される。また、画像形成部１８は、レーザプリンタに代えて、インクジェットプリンタで構成されてもよい。
【００２８】
画像読取装置１０は、筐体２４を含む。さらに、筐体２４の前面側には、ユーザによる入力操作を受け付けるタッチパネルディスプレイおよび操作ボタン等を含む操作部１６が設けられる。
【００２９】
図２および図３に示すように、筐体２４は、下筐体部２４０および上筐体部２４２含み、合成樹脂等によって構成される。下筐体部２４０は、矩形平板状の底板２４ａおよびその周縁部分から立ち上がる左右前後の４つの側壁２４ｂを有する。上筐体部２４２は、透明材によって形成される原稿載置台（プラテンガラスとも言う）２６およびＳＰＦガラス２８の周縁部の上面を覆うように枠体状に形成され、下筐体部２４０に対し、ビス等の固定具（図示せず）によって固定される。
【００３０】
なお、原稿載置台２６とＳＰＦガラス２８とは、１枚の板体（単一のガラス）によって構成されていてもよいし、別体（別々のガラス）で構成されていてもよい。また、上筐体部２４２も、１つの部材で構成されていてもよいし、複数の部材を組み合せて構成されていてもよい。
【００３１】
また、筐体２４内には、原稿載置台２６に載置された原稿上の画像を読み取るためのＣＩＳ（Contact Image Sensor）走査体３４、ＣＩＳ走査体３４を往復移動させるための移動機構３６、およびＣＩＳ走査体３４で取得された画像データを制御部に伝達するためのフラットケーブル３８等が設けられる。
【００３２】
ＣＩＳ走査体３４は、いわゆる密着型のイメージセンサであり、副走査方向（左右方向）に往復移動可能に設けられる基台（キャリッジ）４０と、基台４０によって保持される画像読取部４２とを含む。
【００３３】
基台４０は、上側開放の矩形箱状に形成され、長手方向が主走査方向（前後方向）に延びるように筐体２４内に配置される。画像読取部４２は、主走査方向に長く延びるように配置された、光源、ロッドレンズアレイ、複数の撮像素子（光電変換素子）などを備える。光源は、たとえば複数のＬＥＤが配列されたＬＥＤアレイであり、原稿表面を照射する。ロッドレンズアレイは、原稿からの反射光を複数の撮像素子へ集光させる。複数の撮像素子は、ロッドレンズアレイによって結像された画素情報を読み取る。また、画像読取部４２の後端部には、画像読取部４２の各コンポーネントに接続される回路基板に装着されたコネクタが設けられる。図示は省略するが、画像読取部４２のコネクタは、基台４０の側面に露出するように設けられており、このコネクタにフラットケーブル３８の一端部が接続される。
【００３４】
移動機構３６は、ガイドシャフト４６と、駆動プーリ、従動プーリおよび牽引部材４８などの駆動機構とを備える。ガイドシャフト４６は、ＣＩＳ走査体３４の往復移動をガイドするものであり、筐体２４の底板２４ａ上を副走査方向に延びる。ＣＩＳ走査体３４の基台４０は、下面の主走査方向における中央部がこのガイドシャフト４６によって移動可能に支持されている。
【００３５】
駆動プーリは、ガイドシャフト４６の一方端部近傍に設けられ、従動プーリは、ガイドシャフト４６の他端部近傍に設けられる。駆動プーリおよび従動プーリには、無端帯状の牽引部材４８が巻回され（掛け渡され）、この牽引部材４８にＣＩＳ走査体３４の基台４０が接続される。駆動プーリは、駆動源であるモータ（図示せず）によって回転され、その駆動力を牽引部材４８に伝達する。牽引部材４８は、タイミングベルト、ワイヤまたはチェーン等で構成され、駆動プーリの回転に伴って周運動することによって、ＣＩＳ走査体３４を牽引する。これにより、ＣＩＳ走査体３４は、ガイドシャフト４６に沿って副走査方向に往復移動される。また、従動プーリは、牽引部材４８に所定の張力を付与するものであり、牽引部材４８の周運動に伴い回転する。
【００３６】
フラットケーブル３８は、可撓性を有する帯状の配線部材（フレキシブルフラットケーブル）であり、並列に配置した複数本の導線を絶縁体によって被覆することで形成される。フラットケーブル３８は、一端部が画像読取部４２のコネクタに接続され、他端部が筐体２４の外部（画像形成装置本体１２内）に配置された画像読取用の制御基板９８のフラットケーブル用のコネクタ９８ｂに接続される。したがって、画像読取部４２と制御部とが電気的に接続される。また、フラットケーブル３８は、ＣＩＳ走査体３４の移動に追従して変形することが可能である。
【００３７】
図１および図４に示すように、筐体２４の上には、ヒンジ等を介してＡＤＦ１４が開閉自在に取り付けられる。筐体２４（下筐体部２４０）の背面部には、後側の側壁２４ｂの後方に筐体延出部２４ｄが設けられており、この筐体延出部２４ｄに取付部が設けられる。そして、ＡＤＦ１４は、背面側の取付部を開閉支点として前面側が上下動するように開閉自在とされる。
【００３８】
取付部は、たとえばヒンジを含む。ヒンジは、互いに回動可能に設けられる上側ヒンジ片と下側ヒンジ片とを含む。上側ヒンジ片は、ＡＤＦ１４に取り付けられる。下側ヒンジ片は、角柱形状に形成される。下側ヒンジ片は、図２に示す上筐体部２４２に形成される矩形状の開口端２４４によって形成される貫通孔２４６と、図３に示す下筐体部２４０（筐体延出部２４ｄ）に形成される角筒形状２４８によって形成される係合穴２５０とに挿入される。これによって、ＡＤＦ１４がヒンジを介して画像読取装置１０（筐体２４）の上部に開閉自在に取り付けられる。
【００３９】
ＡＤＦ１４は、その外殻をなす合成樹脂製の本体ケース５０を備える。本体ケース５０の上部には、給紙口５２が形成されており、この給紙口５２から斜め上方に延びるようにＡＤＦ用の原稿載置トレイ５４が設けられる。ＡＤＦ１４は、画像読取装置１０の原稿載置台２６に載置された原稿を押さえる機能（原稿押さえ機能）と、ＡＤＦ用の原稿載置トレイ５４に載置された原稿を、画像読取位置４４を経由させて排紙トレイ５６に連続的に搬送（給送）する機能を備える。
また、原稿載置トレイ５４の上面には、幅方向に移動可能な一対のサイドガイド５８が設けられる。サイドガイド５８は、原稿載置トレイ５４に載置された原稿を両側から規制して整列させる機能を有する。
【００４０】
本体ケース５０内には、原稿載置トレイ５４に載置された原稿を取り出すピックアップローラ６０が上下動可能に設けられる。また、ピックアップローラ６０の下流側には、ピックアップローラ６０によって原稿載置トレイ５４から取り出された原稿を原稿搬送路Ｌ１に送り出す給紙ローラ６２が設けられる。これらピックアップローラ６０および給紙ローラ６２の上方および周囲を覆うように、ピックアップホルダ６４が設けられる。ピックアップローラ６０は、このピックアップホルダ６４によって、給紙ローラ６２の回転軸を中心として上下動可能に支持される。
【００４１】
また、給紙ローラ６２の対向位置には、原稿の重送を防止するための分離ユニット６６が設けられる。分離ユニット６６は、給紙ローラ６２によって送り出される原稿を１枚に分離する分離部材である分離パッドおよび分離パッドを支持する支持部材である分離パッドホルダなどを備える。
【００４２】
また、給紙ローラ６２の下流側には、複数の搬送ローラ６８および排紙ローラ７０が設けられ、本体ケース５０内には、給紙口５２から画像読取位置４４を経由して排紙口７２まで延びる原稿搬送路Ｌ１が形成される。給紙ローラ６２によって原稿搬送路Ｌ１に送り出された原稿は、複数の搬送ローラ６８によって画像読取位置４４まで搬送される。そして、画像読取位置４４上を原稿が搬送されている間（通過する間）に、画像読取装置１０のＣＩＳ走査体３４（画像読取部４２）によって原稿表面の画像が読み取られる。画像読取位置４４を通過した原稿は、搬送ローラ６８および排紙ローラ７０によって排紙口７２に案内されて、排紙トレイ５６上に排出される。
【００４３】
このような画像読取装置１０において、原稿載置台２６に載置された原稿上の画像を読み取る場合（固定読みの場合）には、ＣＩＳ走査体３４が原稿載置台２６の下方で副走査方向に往復移動することによって、当該原稿上の画像が読み取られ、その画像データが取得される。一方、原稿載置トレイ５４に載置された原稿上の画像を読み取る場合（流し読みの場合）には、ＣＩＳ走査体３４は、所定の画像読取位置の下方で待機され、ＡＤＦ１４によって搬送される原稿が画像読取位置を通過するときに当該原稿上の画像が読み取られ、その画像データが取得される。
【００４４】
また、図示は省略するが、本体ケース５０内には、ＡＤＦ１４の駆動部が設けられる。ＡＤＦ１４の駆動部は、給紙用モータおよび搬送用モータを含む。給紙用モータおよび搬送用モータは、汎用の回転モータである。給紙用モータは、ピックアップローラ６０および給紙ローラ６２に回転駆動力を付与する。搬送用モータは、搬送ローラ６８および排紙ローラ７０に回転駆動力を付与する。なお、本実施例では、ＡＤＦ１４の駆動部（給紙用モータおよび搬送用モータ）は、ＡＤＦ１４の左右方向（画像形成装置１００の幅方向）の中央に設けられる。
【００４５】
また、図５に示すように、ＡＤＦ１４の駆動部の背面側の端部には、ＡＤＦ１４の駆動部の各コンポーネント（給紙用モータおよび搬送用モータ）に接続される回路基板に装着されたＡＤＦ１４の駆動部のコネクタ１４ａが設けられる。
【００４６】
ＡＤＦ１４のコネクタ１４ａと、画像読取用の制御基板９８のコネクタ９８ａとは、ケーブル９４によって接続される。ケーブル９４は、可撓性を有する配線部材であり、導線を絶縁体によって被覆することで形成される。
【００４７】
ケーブル９４の一方の端部には、ＡＤＦ１４のコネクタ１４ａに接続される第１コネクタが設けられ、ケーブル９４の他方の端部には、画像読取用の制御基板９８のコネクタ９８ａに接続される第２コネクタが設けられる。そして、ケーブル９４は、一端部（上端部）がＡＤＦ１４のコネクタ１４ａに接続され、他端部（下端部）が画像読取用の制御基板９８のコネクタ９８ａに接続される。
【００４８】
したがって、ＡＤＦ１４と制御部とが電気的に接続され、給紙用モータおよび搬送用モータは、画像形成装置１００の制御部によって制御され、制御部の指示に応じて作動および停止される。
【００４９】
また、ケーブル９４は、画像読取装置１０の筐体２４を貫通する貫通孔によって形成されるガイド経路８０に挿通され、このガイド経路８０に従って配設（配線）される。
【００５０】
ただし、ＡＤＦ１４のコネクタは、ケーブルの長さ（ケーブル長）が必要以上に長くならないように、ＡＤＦ１４の駆動部（給紙用モータおよび搬送用モータ等）の近傍に設けられることが望ましい。上述したように、ＡＤＦ１４の駆動部は、ＡＤＦ１４の左右方向の略中央に設けられるので、ＡＤＦ１４のコネクタは、ＡＤＦ１４の左右方向の中央付近に設けられることが望ましい。
【００５１】
一方、画像読取用の制御基板９８のコネクタ９８ａは、定着部、画像形成用の用紙搬送部および画像形成部の制御基板等の画像形成部の構成部品による悪影響を受けないように、画像形成部の構成部品から離れた位置に配置されることが望ましい。たとえば、画像形成部の構成部品は、画像形成装置１００の幅方向の一方側（たとえば右側）に配置されるので、画像読取用の制御基板９８のコネクタ９８ａは、画像形成装置１００の幅方向の他方端部（たとえば左端部）に配置されることが望ましい。
【００５２】
以上のように、ＡＤＦ１４のコネクタおよび画像読取用の制御基板のコネクタ９８ａをそれぞれ最適な位置に配置すると、ＡＤＦ１４のコネクタおよび画像読取用の制御基板９８のコネクタ９８ａのそれぞれは、左右方向（水平方向）において互いに異なる位置に配置されることになる。
【００５３】
従来の画像形成装置では、ＡＤＦのコネクタと画像読取用の制御基板のコネクタとを接続するケーブルが挿通されるガイド経路が、上下方向に真っ直ぐ延びるように、直線状に形成される。
【００５４】
しかしながら、従来の画像形成装置のような構成では、ガイド経路が、ＡＤＦのコネクタの近く、すなわち画像形成装置１００の幅方向の略中央に配置される場合には、ガイド経路の下端部（画像読取用の制御基板側の端部）が画像形成部の構成部品の近くに位置することになる。この場合、画像形成部の構成部品から発生する熱および湿気などがガイド経路を通ってＡＤＦの本体ケースの内部に入り込み、ＡＤＦの内部が高温多湿となってしまい、不具合の原因となる虞がある。また、ガイド経路の上端部（ＡＤＦ側の端部）から入った埃が簡単にガイド経路を通り抜けるので、埃が画像形成部の構成部品に付着しやすくなり、不具合の原因となる虞がある。さらに、クリップ等の異物がガイド経路の上端部から入ってしまった場合に、そのまま画像形成装置の内部に落ちてしまうという問題がある。さらにまた、ケーブル長が長くならないようにするために画像読取用の制御基板のコネクタをガイド経路の下端部の近傍に設けると、画像形成部の構成部品による悪影響を受ける虞がある。
【００５５】
一方、ガイド経路を画像読取用の制御基板のコネクタの真上、すなわち画像形成装置１００の幅方向の端部に配置することは、ヒンジ部材等との関係で難しいという問題がある。また、ＡＤＦ１４のコネクタと、ガイド経路の上端部とが離れてしまうので、ケーブル長が必要以上に長くなってしまうという問題がある。さらに、ケーブル挿通用の経路を画像読取部の筐体外に設定することも考えられるが、ケーブル長が長くなることに加え、美観を損なうこととなる。
【００５６】
以下、図５〜図１０を参照して、本実施例のガイド経路８０およびガイド経路８０の周辺構造を説明する。まず、本実施例の各制御基板の配置態様について説明する。
【００５７】
図５からわかるように、画像形成用の制御基板９６、画像読取用の制御基板９８および画像形成部１８の構成部品の一部（定着部、画像形成用の用紙搬送部）のそれぞれは、画像形成装置１００の背面側の上部に配置される。具体的には、画像形成用の制御基板９６は、画像読取装置１０の背面側に配置され、筐体２４の背面に取り付けられる。また、画像形成用の制御基板９６は、筐体２４（画像読取装置１０）の左右方向の中央に配置される。
【００５８】
画像読取用の制御基板９８は、筐体２４よりも下方であって、画像形成装置本体１２内の背面側の左側上部に配置される。定着部、画像形成用の用紙搬送部は、画像形成装置本体１２内の背面側の右側上部に配置される。すなわち、画像読取用の制御基板９８は、左右方向において、定着部、画像形成用の用紙搬送部等の画像形成部１８の構成部品の反対側に配置される。また、画像読取用の制御基板９８のコネクタ９８ａは、画像読取用の制御基板９８の左右方向の中央に設けられる。
【００５９】
なお、画像読取用の制御基板９８、定着部および画像形成用の用紙搬送部は、図示しない画像形成装置本体１２のフレームに取り付けられる。また、画像形成用の制御基板９６、画像読取用の制御基板９８および画像形成部１８の背面側には、画像形成装置本体１２および筐体２４に対して着脱可能（開閉可能）な背板が設けられている。ただし、図５では、背板の図示を省略してある。
【００６０】
次に、ガイド経路８０の構造について説明する。図６に示すように、ガイド経路８０は、原稿載置台２６よりも後方、すなわち筐体２４の背面側の端部に設けられ、画像読取装置１０の筐体２４を貫通する貫通孔によって概略筒状に形成される。具体的には、背面側の側壁２４ｂおよび上筐体部２４２が一体となってガイド経路８０を構成する。ただし、ガイド経路８０は、ＣＩＳ走査体３４および移動機構３６等が設けられる空間とは分離されている。
【００６１】
ガイド経路８０の一方（上方）の開口端（入口）８２は、画像読取装置１０の筐体２４の上面（上筐体部２４２）に設けられる。また、入口８２は、本体ケース５０の内部空間に設けられる。
【００６２】
ガイド経路８０の他方（下方）の開口端（出口）８４は、画像読取装置１０の筐体２４の背面に設けられる。また、出口８４は、画像形成装置本体１２の内部空間に設けられる。
具体的には、画像形成装置本体１２および筐体２４に着脱可能に取り付けられる背板よりも前側に設けられる。つまり、ガイド経路８０は、筐体２４の上面に設けられる入口８２から、筐体２４の内部を通って、筐体２４の背面に設けられる出口８４に至るように形成される。
【００６３】
入口８２は、ＡＤＦ１４の駆動部の真下付近に設けられる。すなわち、入口８２は、水平方向（左右方向）において、ＡＤＦ１４の駆動部に対応する位置に設けられる。本実施例では、入口８２は、ＡＤＦ１４および筐体２４の左右方向の中央付近に設けられる。
【００６４】
出口８４は、画像読取用の制御基板９８のコネクタ９８ａの上方（略真上）に設けられる。すなわち、出口８４は、水平方向（左右方向）において、画像読取用の制御基板９８のコネクタ９８ａに対応する位置に設けられる。本実施例では、出口８４は、筐体２４の左右方向の中央よりも左側に設けられる。したがって、出口８４は、入口８２よりも左側に設けられる。このように、入口８２と、出口８４とは、水平方向において互いに異なる位置に設けられる。
【００６５】
また、ガイド経路８０は、複数の空間（部分）を含む。本実施例では、ガイド経路８０は、入口８２側から順に、第１部分８０２、第２部分８０４および第３部分８０６を含む。
【００６６】
第１部分８０２は、上下方向に延びる部分であり、一方の端部（入口８２側の端部または上端部）が入口８２に連通し、入口８２（一方の端部）から下に向かって延びるように形成される。すなわち、第１部分８０２は、上下方向において、入口８２から出口８４に近づくように延びる。
【００６７】
第２部分８０４は、左右方向（水平方向）に延びる部分であり、一方の端部（入口８２側の端部または右端部）が第１部分８０２の他方の端部（出口８４側の端部または下端部）に接続（連結）される。本実施例では、第２部分８０４は、第１部分８０２との接続部（一方の端部）から左に向かって延びるように形成される。すなわち、第２部分８０４は、水平方向（左右方向）において、第１部分８０２との接続部から出口８４に近づくように延びる。
【００６８】
第３部分８０６は、前後方向（水平方向）に延びる部分であり、一方の端部（入口８２側の端部または前端部）が第２部分８０４の他方の端部（出口８４側の端部または左端部）に接続される。本実施例では、第３部分８０６は、一方の端部（第２部分８０４との接続部）から後方に向かって延びるように形成される。また、第３部分８０６の他方の端部（後端部）は、出口８４に連通される。すなわち、第３部分８０６は、第２部分８０４との接続部から出口８４に向かうように延びる。
【００６９】
また、ガイド経路８０は、複数の案内面（傾斜面）を含む。本実施例では、ガイド経路８０は、入口８２側から順に、第１傾斜面８８、第２傾斜面９０および第３傾斜面９２を含む。第１傾斜面８８および第２傾斜面９０のそれぞれは、ガイド経路８０が折れ曲がる部分（屈曲部）に設けられ、第３傾斜面９２は、出口８４付近に設けられる。
【００７０】
第１傾斜面８８は、第１部分８０２と第２部分８０４との接続部（第１の屈曲部）に設けられる。具体的には、第１傾斜面８８は、第１の屈曲部の外側の内壁に設けられ、右から左に向かうにつれて（入口８２から出口８４に向かうにつれて）下方に傾斜する（下り勾配となる）傾斜面である。すなわち、第１傾斜面８８は、ガイド経路８０に挿入されるケーブル９４を、第１の屈曲部において、第１部分８０２から第２部分８０４に向かって（入口８２から出口８４に向かって）案内（ガイド）するように設けられる。なお、第１傾斜面８８は、一例として第１部分８０２の管軸（ケーブル９４が挿通される方向）および第２部分８０４の管軸のそれぞれに対して略４５°傾斜する。
【００７１】
また、第１傾斜面８８は、第２部分８０４の下面の一部（一方の端部側の一部）の下面を構成するように設けられる。
【００７２】
さらに、第１傾斜面８８は、少なくとも第１部分８０２の下面全体を構成するように設けられる。すなわち、第１傾斜面８８は、上から見た場合に、第１部分８０２の内周面の輪郭以上の大きさに設けられる。すなわち、第１傾斜面８８は、上から見た場合に、第１部分８０２の内周面の輪郭よりも大きい範囲に設けられる。また、本実施形態では、入口８２の開口の内周は、第１部分８０２の内周は同じ大きさである。このため、第１傾斜面８８は、上から見た場合に、入口８２の内周面の輪郭をすべて含むように（入口８２の内周面の輪郭よりも大きい範囲に）設けられているとも言える。
【００７３】
具体的には、第１傾斜面８８は、入口８２の内周面の輪郭よりもケーブル９４が移動する方向（左方向）に所定寸法（図７に示す寸法ａ）大きい範囲に設けられる。たとえば、寸法ａは、５〜１０ｍｍ程度であり、第１傾斜面８８は、入口８２の内周面の輪郭よりも左方向に５〜１０ｍｍ程度延出するように設けられる。ただし、第１傾斜面８８は、前後方向に亘って入口８２の内周面の輪郭に対し所定寸法延出するように設けられてもよいし、前後方向の一部（たとえば中央部）のみが入口８２の内周面の輪郭に対し所定寸法延出するように設けられてもよい。
【００７４】
すなわち、第１傾斜面８８の出口８４側の端部（左端部）は、入口８２よりも出口８４側（左側）に位置する。つまり、第１傾斜面８８は、水平方向において、入口８２よりも出口８４側（第２部分８０４側）に延びるように設けられる。
【００７５】
第２傾斜面９０は、第２部分８０４と第３部分８０６との接続部（第２の屈曲部）に設けられる。具体的には、第２傾斜面９０は、第２の屈曲部の外側の内壁に設けられ、右から左に向かうにつれて（入口８２から出口８４に向かうにつれて）前方に傾斜する傾斜面である。すなわち、第２傾斜面９０は、ガイド経路８０に挿入されるケーブル９４を、第２の屈曲部において、第２部分８０４から第３部分８０６に向かって（入口８２から出口８４に向かって）案内するように設けられる。なお、第２傾斜面９０は、一例として第２部分８０４の管軸および第３部分８０６の管軸のそれぞれに対して略４５°傾斜する。また、第１傾斜面８８と、第２傾斜面９０とは、交差するように異なる方向に傾斜する。
【００７６】
第３傾斜面９２は、第３部分８０６の下面に設けられる。具体的には、第３傾斜面９２は、第３部分８０６の下面の前後方向の途中から、出口８４に至るまで設けられ、前方から後方に向かうにつれて（入口８２から出口８４に向かうにつれて）下方に傾斜する（下り勾配となる）傾斜面である。また、第３部分８０６の左右の側面は略平行な面であり、第３部分８０６は、左右方向の寸法は前後に亘って略一定である。一方、第３部分８０６の天面は略水平面であるので、第３部分８０６は、後方に向かうにつれて、徐々に上下方向の寸法が大きくなる。このため、後方（出口８４）に向かうにつれて、徐々に第３部分８０６の断面積が大きくなる。なお、第３傾斜面９２は、一例として第３部分８０６の管軸（水平）に対して略３０°で傾斜されている。したがって、ガイド経路８０に挿入されるケーブル９４を作業者が取出し易くなる。
【００７７】
なお、第１傾斜面８８、第２傾斜面９０および第３傾斜面９２のそれぞれは、平面であっても良いし、曲面であっても良い。
【００７８】
また、ガイド経路８０の下面は、第１傾斜面８８、第２傾斜面９０および第３傾斜面９２以外の部分も含め、入口８２から出口８４に向かうにつれて下方に傾斜する下り勾配に形成される。すなわち、第１傾斜面８８を除く第２部分８０４の下面および第３傾斜面９２を除く第３部分８０６の下面についても、入口８２から出口８４に向かうにつれて下り勾配となっている。
【００７９】
さらに、出口８４の断面積（開口面積）は、入口８２の断面積（開口面積）よりも大きい。さらにまた、第２部分８０４の断面積は、出口８４に向かうにつれて、徐々に大きくなる。
【００８０】
この第１実施例では、ガイド経路８０の入口８２と出口８４とは、水平方向において互いに異なる位置に設けられる。このため、入口８２をＡＤＦ１４のコネクタの近くに配置し、出口８４を画像形成部１８の構成部品から離して配置することができる。したがって、画像形成部の構成部品から発生する熱および湿気などがガイド経路８０を通ってＡＤＦ１４の本体ケース５０の内部に流入し、ＡＤＦ１４の内部が高温多湿となることを防止できる。
【００８１】
また、第１実施例によれば、クリップ等の異物や埃等が、ガイド経路８０の屈曲部でせき止められるので、画像形成装置本体１２の内部にクリップ等の異物や埃等が入り込みにくくなる。
【００８２】
さらに、第１実施例によれば、ＡＤＦ１４のコネクタ１４ａと画像読取用の制御基板９８のコネクタ９８ａとが、水平方向において互いに異なる位置に配置され、ガイド経路８０の入口８２は、水平方向において、ＡＤＦ１４のコネクタ１４ａに対応する位置に設けられ、ガイド経路８０の出口８４は、水平方向において、画像読取用の制御基板９８のコネクタ９８ａに対応する位置に設けられる。このため、画像形成部１８の構成部品による悪影響が画像読取用の制御基板９８のコネクタ９８ａに及ばないようにすることができる。
【００８３】
さらに、第１実施例では、ガイド経路８０の入口８２は、筐体２４の上面に設けられ、ガイド経路８０の出口８４は、筐体２４の背面に設けられる。ケーブル９４の挿通作業をする際に、作業者は通常背面側に立つので、出口８４の視認性を確保することができる。
【００８４】
さらにまた、第１実施例によれば、ガイド経路８０は、入口８２から下に向かって延びる第１部分８０２と、一方の端部が第１部分８０２の下端部に接続され、水平方向に延びる第２部分８０４と、出口８４から上に向かって延び、第２部分８０４の他方の端部に接続される第３部分８０６とを含み、第１部分８０２と第２部分８０４との接続部の外側の内壁に第１傾斜面８８が設けられる。このため、ガイド経路８０が折れ曲がる第１部分８０２と第２部分８０４との接続部において、ガイド経路８０に挿入されるケーブル９４が第１傾斜面８８によって出口８４に向かって案内されるので、ガイド経路８０の内部が黙視できなくても、ケーブル９４の配線作業を行う際の作業性の向上を図ることができる。
【００８５】
また、第１実施例によれば、第１傾斜面８８は、水平方向において、入口８２よりも出口８４側に延びるように設けられるので、ケーブル９４が出口８４に向かって案内されやすい形状となっており、ケーブル９４の配線作業を行う際の作業性の向上を図ることができる。
【００８６】
さらに、第１実施例によれば、第２部分８０４と第３部分８０６との接続部の外側の内壁に第２傾斜面９０が設けられるので、ケーブル９４の配線作業を行う際の作業性の向上を図ることができる。
【００８７】
さらにまた、第１実施例によれば、出口８４の断面積が、入口８２の断面積よりも大きいので、ケーブル９４の配線作業、特に出口８４からケーブル９４を引き出す作業を行う際の作業性の向上を図ることができる。
【００８８】
また、第１実施例によれば、ガイド経路８０の下面が、入口８２から出口８４に向かうにつれて下方に傾斜するので、ケーブル９４の配線作業を行う際の作業性の向上を図ることができる。
［第２実施例］
第２実施例の画像読取装置１０は、ガイド経路８０の構成を一部変更した以外は、第１実施例と同じであるため、重複した説明は省略する。
【００８９】
次に、この発明の第２実施例である画像読取装置１０について説明する。上述の第１実施例では、入口８２と、出口８４とは、左右方向において互いに異なる位置に設けられるようにしたが、この第２実施例では、入口８２と、出口８４とは、少なくとも左右方向において略同じ位置に設けられる。ただし、第１実施例と同様に、出口８４は、筐体２４の背面に設けられる。また、出口８４は、入口８２よりも背面側に設けられても良いし、入口８２の略真下に設けられても良い。たとえば、出口８４が入口８２よりも背面側に設けられる場合には、ガイド経路８０は、少なくとも、入口８２から下に向かって延びる部分（第４部分）と、出口８４から前に向かって延びる部分（第５部分）とを含み、第４部分と第５部分との接続部において折れ曲がる。この場合、第４部分と第５部分との接続部の外側の内壁に、前方から後方に向かうにつれて（入口８２から出口８４に向かうにつれて）下方に傾斜する傾斜面が設けられても良い。
【００９０】
この第２実施例によれば、ガイド経路８０の出口８４が、筐体２４の背面に設けられるので、ケーブル９４の挿通作業をする際に、作業者は通常背面側に立つので、出口８４の視認性を確保することができる。
【００９１】
なお、上述の各実施例では、走査体としてＣＩＳ走査体３４を用いたが、ＣＩＳ走査体３４の代わりに、ＣＣＤ（Charge Coupled Device）センサを利用する走査体を用いることもできる。
【００９２】
また、上述の実施例で挙げた具体的な形状等は一例であり、実際の製品に応じて適宜変更することが可能である。
【符号の説明】
【００９３】
１００…画像形成装置
１０  …画像読取装置
１４  …ＡＤＦ
２４  …筐体
４２  …画像読取部
８０  …ガイド経路
９４  …ケーブル
９８  …画像読取用の制御基板
【図１】
2020190703.tif 000003
【図２】
2020190703.tif 000004
【図３】
2020190703.tif 000005
【図４】
2020190703.tif 000006
【図５】
2020190703.tif 000007
【図６】
2020190703.tif 000008
【図７】
2020190703.tif 000009
【図８】
2020190703.tif 000010
【図９】
2020190703.tif 000011
【図１０】
2020190703.tif 000012